(57)【特許請求の範囲】
【請求項１】
脚部を有する複数のフレーム片で構成されたフレームと、前記フレーム上に載置され一方向に整列した複数の発光ダイオードと、それらの発光ダイオードを囲む反射面を有し前記フレームと一体的に形成された反射枠とを備え、前記反射枠は前記発光ダイオードの近傍に部分的な反射面を持つ突起部が形成され、前記反射枠から外に延びる前記脚部の位置に対応して前記突起部が位置する事を特徴とする表示装置。
【発明の詳細な説明】
【０００１】
【産業上の利用分野】
本発明は発光ダイオードを用いた表示装置に関する。
【０００２】
【従来の技術】
本発明者が特願平５−３３６６１４号にて出願した表示装置を、図８（ａ）の平面図と図８（ｂ）の断面図に従い説明する。これらの図に於て、４個の発光ダイオード３１がフレーム３２上に載置されている。そして反射枠３３が発光ダイオード３１を囲む長尺な反射面３４と棧部３５を有し、フレーム３２と一体成形されている。この表示装置３６が基板（図示せず）の略直線上に複数個載置され線状光源とされ、その上方に設けられた原稿面（図示せず）に光を照射する、ファクシミリ装置の読取り装置等に用いられている。
【０００３】
【発明が解決しようとする課題】
上述の表示装置３６を複数個設けた線状光源の照度特性を図７の破線で示す。横軸のｃ、ｄ、ｅ、ｆは表示装置３６の左側から順に発光ダイオード３１の番号を示し、ｃ１、ｄ１、ｅ１は左側から順に棧部３５の位置を示し、縦軸は照度（％）を示す。この図７から判る様に、各発光ダイオード３１の真上の照度が特に高く、発光ダイオード３１から少し離れた位置（すなわち発光ダイオード３１の位置ｃと棧部３５の位置ｃ１との中間）で照度の落込みが約８５％と大きい。故に本発明はこの様な従来の欠点を考慮して、発光ダイオードから少し離れた位置の真上での照度の落込みを少なくし、略均一な照度特性を与える表示装置を提供するものである。
【０００４】
【課題を解決するための手段】
上述の課題を解決するために本発明は、脚部を有する複数のフレーム片で構成されたフレームと、前記フレーム上に載置され一方向に整列した複数の発光ダイオードと、それらの発光ダイオードを囲む反射面を有し前記フレームと一体的に形成された反射枠とを備え、前記反射枠は前記発光ダイオードの近傍に部分的な反射面を持つ突起部が形成され、前記反射枠から外に延びる前記脚部の位置に対応して前記突起部が位置するものである。
【０００５】
【作用】
上述の様に、反射枠は発光ダイオードの近傍に於て発光ダイオードの列に斜交して近接する様に、部分的な反射面を持つ突起部が形成されている。故に、発光ダイオードからの光は部分的な反射面により反射され、発光ダイオードから少し離れたフレームの表面に於て、光量が増える。そして、この光は長尺な反射面で反射され上方に進むので、発光ダイオードから少し離れた位置の真上での照度の落込みが少なくなる。
【０００６】
【実施例】
以下に本発明の実施例を図１乃至図５に従い説明する。図１は本実施例に係る表示装置の平面図、図２は図１のＡ部詳細図、図３は表示装置の正面図、図４は図１のＢＢ断面図、図５は図１のＣＣ断面図である。
【０００７】
上述の図に於て、フレーム１は長尺方向に分離して形成されたフレーム片２、３、４、５、６を有し、例えば厚さ０．１５〜０．２５ｍｍの燐青銅からなり、プレス加工にて形成され銀メッキが施こされたものである。フレーム片２、４、５、６は長尺方向と略直交する方向に折り曲げられ、各々脚部２ａ、４ａ、５ａと６ａが形成されている。
【０００８】
発光ダイオード７はフレーム片３、４、５、６上に導電性接着剤（図示せず）を介して載置固着され、各々金属細線にてフレーム片２、３、４、５に配線されている。この様に、発光ダイオード７は例えばピッチ７．５ｍｍにて略直線上に長尺方向に整列している。発光ダイオード７は例えば、１辺が０．２〜０．４ｍｍの略立方体であり、燐化ガリウムや燐化ガリウム砒素等からなる。また、発光ダイオード７は４個に限定される事なく、任意の個数でもよい。そして発光ダイオード７は上述の様に直列接続されても、並列接続されてもよい。
【０００９】
反射枠８は例えばポリブチレンテレフタレート樹脂又はポリシクロヘキサンテレフタレート樹脂等からなり、フレーム１すなわちフレーム片２、３、４、５、６とインサート成形により一体的に形成されたものである。反射枠８は発光ダイオード７を囲む様に、２つの長尺な反射面９と２つの短尺な反射面１０を有している。また、反射枠８は各発光ダイオード７の略中間に位置し、断面が略三角形の棧部１１を有しており、棧部１１の高さはフレーム１と反射枠８の表面までの中間の高さである。
【００１０】
この様に、長尺な反射面９と短尺な反射面１０と棧部１１の反射面は、上方が開放され上方に行く程広がる様に、傾斜して形成されている。そして反射枠８の外形は例えば、長さが約２９．５ｍｍで幅が約２．４ｍｍで高さが約２．８ｍｍの長尺のものである。
【００１１】
反射枠８の長尺な反射面９では、発光ダイオード７に近接する８箇所に於て、突起部１２が形成されている。各々の突起部１２は発光ダイオード７に対向する様に、平面視くさび状に形成され、発光ダイオードの列に斜交して近接する様に２つの部分的な反射面１３、１４が形成されている。
【００１２】
部分的な反射面１３、１４は長尺な反射面９と接している。図２の様に平面から見た時、発光ダイオード７から右寄りに出た光は部分的な反射面１３で反射し発光ダイオード７から少し離れたフレーム片５の表面１５に光溜りが生ずる。同様に、発光ダイオード７から左寄りに出た光は部分的な反射面１４で反射し、発光ダイオード７から少し離れたフレーム片４の表面１６に光溜りが生ずる。その結果、フレーム片の表面１５、１６の光溜りは、長尺な反射面９で反射され上方に進むので、発光ダイオード７から少し離れた位置の真上での照度の落込みが少なくなる。また、この様に、発光ダイオード７から出た光は反射面１３、１４により反射され、左右に進むので、発光ダイオード７から出て長尺な反射面９で反射され上方に進む光量が減る。その結果、発光ダイオード７の真上での高過ぎる照度は緩和される。
【００１３】
突起部１２の具体的な大きさは、横Ｄが約１．５ｍｍ、縦Ｅが約０．３ｍｍ、縦Ｆが約０．７ｍｍ、高さＧが約１．４ｍｍである。また突起部１２が設けられた位置に於て、反射枠８の上部の内寸Ｈは約１．２ｍｍ、下部の内寸Ｉは約０．５ｍｍである。そして突起部が設けられていない位置に於て、反射枠８の上部の内寸Ｊは約１．８ｍｍ、下部の内寸Ｋは約０．５ｍｍである。
【００１４】
また反射枠８の長尺方向の端部の下側には、段部１７、１８が形成され、下側が逃がされる様に形成されている。封止部１９は例えば、エポキシ樹脂等の透光性樹脂からなり、発光ダイオード７と配線部の周辺を覆い、反射枠８の内側を埋める様に形成されている。これらの部材により本実施例に係る表示装置２０が構成されている。
【００１５】
次に、この表示装置２０を用いた線状光源を図６に従い説明する。基板２１は例えばガラスエポキシ樹脂又はフェノール樹脂からなり、長さが約３２４ｍｍ、幅が約６ｍｍ、厚が約１ｍｍである。基板２１の表面上に銅箔等からなる導電部２２が形成され、必要に応じて、これらの導電部２２を除いた表面上に白色レジスト（図示せず）が塗布されている。
【００１６】
表示装置２０の脚部２ａ、４ａ、５ａ、６ａが基板２１の導電部２２上に半田を介して載置され、複数の表示装置２０が基板２１上に略直線上に設けられ、線状光源２３が構成されている。電流制限用のチップ抵抗２４が、表示装置２０の段部１７、１８に囲れた空間に位置する様に、基板２１上に載置されている。この様にチップ抵抗２４を表示装置２０の継目の下に配置するので、基板２１の幅を大きくする事なく、線状光源２３を構成出来る。
【００１７】
次に、線状光源２３の照度特性を図７の実線で示す。横軸のｃ、ｄ、ｅ、ｆは表示装置２０の左側から順に発光ダイオード７の番号を示し、ｃ１、ｄ１、ｅ１は左側から順に棧部１１を示し、縦軸は照度（％）を示す。この図７から判る様に、各発光ダイオード７の真上の照度が従来程高くない。これは、発光ダイオード７から出た光が反射面１３、１４により反射され左右に進むので、発光ダイオード７から出て長尺な反射面９で反射され上方に進む光量が減るためである。
【００１８】
また、発光ダイオード７から少し離れた位置（すなわち発光ダイオード７の位置ｃと棧部１１の位置ｃ１との中間）での照度の落込みが約９４％となり、従来より落込みの少ない事が判る。これは、発光ダイオード７から出た光が部分的な反射面１３、１４で反射し、フレーム片の表面１５、１６での光量が増し、その光が反射面９で反射され上方に進むので、発光ダイオード７から少し離れた位置の真上での照度が大きくなるためである。また上述の説明では線状光源の応用例のみ例示したが、本発明は線状光源のみならず、他の光源にも適用出来る。
【００１９】
【発明の効果】
本発明は上述の様に、反射枠は発光ダイオードの近傍に於て発光ダイオードの列に斜交して近接する様に、部分的な反射面を持つ突起部が形成されている。故に、発光ダイオードからの光は部分的な反射面により反射され、発光ダイオードから少し離れたフレームの表面に於て、光量が増える。そして、この光は長尺な反射面で反射され上方に進むので、発光ダイオードから少し離れた位置の真上の照度の落込みが少なくなる。その結果、実用上支障のない程度に、略均一な照度特性が得られる。
【図面の簡単な説明】
【図１】本発明の実施例に係る表示装置の平面図である。
【図２】図１のＡ部詳細図である。
【図３】本発明の実施例に係る表示装置の正面図である。
【図４】図１のＢＢ断面図である。
【図５】図１のＣＣ断面図である。
【図６】本発明の実施例に係る表示装置を用いた線状光源の平面図である。
【図７】本発明の実施例に係る表示装置および従来の表示装置に於ける照度特性図である。
【図８】図８（ａ）は従来の表示装置の平面図、図８（ｂ）はそれの断面図である。
【符号の説明】
１    フレーム
７    発光ダイオード
８    反射枠
１２    突起部
１３、１４    部分的な反射面
【図１】
0003625498.tif 000002
【図２】
0003625498.tif 000003
【図３】
0003625498.tif 000004
【図４】
0003625498.tif 000005
【図５】
0003625498.tif 000006
【図６】
0003625498.tif 000007
【図７】
0003625498.tif 000008
【図８】
0003625498.tif 000009